(57)【要約】【課題】入浴後に付着した水滴のサイズを検知し、水滴の液量をミストでミスト噴霧により増やし、水滴が自重で滑落しやすい状態にすることで少ない風量でも効率的に水垢付着を抑制することを目的とする。【解決手段】浴室に付着している水滴の直径を推定する水滴の液量推定手段１２を備え、前記水滴の液量推定手段１２は、湿度の上昇を検知したときから、浴室内の温湿度をモニタリングして、温度、湿度、経過時間に基づき浴室壁面の水滴の液量を推測するものであり、前記制御手段１０は、乾燥運転モードを備え、前記乾燥運転モードにおいて、前記水滴の液量推定手段の推定に基づき浴室壁面に付着している水滴の液量が一個あたり２５μｌ以下のときは、前記水滴の液量が一個あたり２５μｌ以上となるように前記ミスト噴霧手段９からミストを噴霧し、その後、前記送風手段７で送風を行うものである。【選択図】図１
2019063055.tif 000002
【特許請求の範囲】
【請求項１】
吸気口と排気口を有する本体ケースと、前記本体ケース内の前記吸気口と前記排気口を結ぶ風路に設けた加熱手段および送風手段と、前記送風手段と前記排気口間の風路内に設けた液体微細化手段と、前記液体微細化手段に含まれ、供給された液体を微細化するミスト噴霧手段と、前記液体微細化手段と加熱手段および送風手段を制御する制御手段とを備えた浴室洗浄装置であって、浴室に付着している水滴の直径を推定する水滴の液量推定手段を備え、
前記水滴の液量推定手段は、
湿度の上昇を検知したときから、浴室内の温湿度をモニタリングして、
温度、湿度、経過時間により、浴室壁面の水滴の液量を推測するものであり、
前記制御手段は、乾燥運転モードを備え、前記乾燥運転モードにおいて、前記水滴の液量推定手段の推定に基づき浴室壁面に付着している水滴の液量が一個あたり２５μｌ以下のときは、前記水滴の液量が一個あたり２５μｌ以上となるように前記ミスト噴霧手段からミストを噴霧し、
その後、前記送風手段で送風を行うことを特徴とする浴室洗浄装置。
【請求項２】
前記ミスト噴霧手段から噴霧されるミストは粒径０．１μｍであることを特徴とする請求項１記載の浴室洗浄装置。
【請求項３】
前記ミスト噴霧手段から粒径０．１μｍのミストを１０分間噴霧することを特徴とする請求項１記載の浴室洗浄装置。
【発明の詳細な説明】
【技術分野】
【０００１】
本発明は浴室に使用される浴室洗浄装置に関する。
【背景技術】
【０００２】
従来、浴室内に水垢を残さないことを目的として、浴室天井に送風機を設け、天井に向けてエアーを吹出すことで、天井に付着した水滴を吹き飛ばす技術が知られている（例えば下記特許文献１）。
【先行技術文献】
【特許文献】
【０００３】
【特許文献１】特開２００６−２９６９２２号公報
【発明の概要】
【発明が解決しようとする課題】
【０００４】
このような従来の浴室洗浄システムにおいては、水滴を吹き飛ばすために、水垢が付着する場所全域にエアーを流す必要があるため風量の大小や、また水滴の液量によって効果に違いがあるものであった。
【０００５】
水垢とは、スケールとも呼ばれ、水道に含まれている成分が水の蒸発時に付着面に残存したもので、カルシウムやシリカなどのことである。水垢が付着しにくい状態は、水滴が壁面に残らない状態や、水滴と壁面の接触面積が少ない状態であるといえる。
【０００６】
そこで本発明は、上記従来の課題を解決するものであり、水滴の液量をミスト噴霧により増やし、水滴が自重で滑落しやすい状態にすることで、すべてのサイズの水滴を吹き飛ばす力よりも、滑落しやすい状態になっている水滴に重力方向へ力を加える方が、少なくて良いため、全域にエアーを流さなくとも、少ない風量で効率的に水垢付着を抑制することを目的とする。
【課題を解決するための手段】
【０００７】
そして、この目的を達成するために、本発明に係る浴室洗浄装置は、吸気口と排気口を有する本体ケースと、前記本体ケース内の前記吸気口と前記排気口を結ぶ風路に設けた加熱手段および送風手段と、前記送風手段と前記排気口間の風路内に設けた液体微細化手段と、前記排気口に設け供給された液体を微細化するミスト噴霧手段と、前記液体微細化手段と加熱手段および送風手段を制御する制御手段とを備えた浴室洗浄装置であって、浴室に付着している水滴の直径を推定する水滴の液量推定手段を備え、前記水滴の液量推定手段は、湿度の上昇を検知したときから、浴室内の温湿度をモニタリングして、温度、湿度、経過時間により、浴室壁面の水滴の液量を推測するものであり、前記制御手段は、乾燥運転モードを備え、前記乾燥運転モードにおいて、前記水滴の液量推定手段の推定にもとづき浴室壁面に付着している水滴の液量が一個あたり２５μｌ以下のときは、前記水滴の液量が一個あたり２５μｌ以上となるように前記ミスト噴霧手段からミストを噴霧し、その後、前記送風手段で送風を行うことを特徴とし、これにより所期の目的を達成するものである。
【発明の効果】
【０００８】
本発明によれば、吸気口と排気口を有する本体ケースと、前記本体ケース内の前記吸気口と前記排気口を結ぶ風路に設けた加熱手段および送風手段と、前記送風手段と前記排気口間の風路内に設けた液体微細化手段と、前記排気口に設け供給された液体を微細化するミスト噴霧手段と、前記液体微細化手段と加熱手段および送風手段を制御する制御手段とを備えた浴室洗浄装置であって、浴室に付着している水滴の直径を推定する水滴の液量推定手段を備え、前記水滴の液量推定手段は、湿度の上昇を検知したときから、浴室内の温湿度をモニタリングして、温度、湿度、経過時間により、浴室壁面の水滴の液量を推測するものであり、前記制御手段は、乾燥運転モードを備え、前記乾燥運転モードにおいて、前記水滴の液量推定手段の推定に基づき浴室壁面に付着している水滴の液量が一個あたり２５μｌ以下のときは、前記水滴の液量が一個あたり２５μｌ以上となるように前記ミスト噴霧手段からミストを噴霧し、その後、前記送風手段で送風を行う構成としたことにより、水滴の液量推定手段が浴室壁面に付着した水滴の液量を推定し、制御手段は、水滴の液量推定手段の推定に基づき水滴一個あたりの液量をミスト噴霧手段によるミスト噴霧により増やし、水滴が自重で滑落しやすい状態にすることで少ない風量でも効率的に水垢付着を抑制することができる浴室洗浄装置を提供することができる。
【図面の簡単な説明】
【０００９】
【図１】浴室に備えられた浴室洗浄装置斜視図
【図２】浴室洗浄装置の概略図
【図３】洗浄モード選択時の制御を示すフローチャート
【発明を実施するための形態】
【００１０】
本発明の請求項１に係る浴室洗浄装置は、吸気口と排気口を有する本体ケースと、前記本体ケース内の前記吸気口と前記排気口を結ぶ風路に設けた加熱手段および送風手段と、前記送風手段と前記排気口間の風路内に設けた液体微細化手段と、前記排気口に設け供給された液体を微細化するミスト噴霧手段と、前記液体微細化手段と加熱手段および送風手段を制御する制御手段とを備えた浴室洗浄装置であって、浴室に付着している水滴の直径を推定する水滴の液量推定手段を備え、前記水滴の液量推定手段は、湿度の上昇を検知したときから、浴室内の温湿度をモニタリングして、温度、湿度、経過時間により、浴室壁面の水滴の液量を推測するものであり、前記制御手段は、乾燥運転モードを備え、前記乾燥運転モードにおいて、前記水滴の液量推定手段の推定に基づき浴室壁面に付着している水滴の液量が一個あたり２５μｌ以下のときは、前記水滴の液量が一個あたり２５μｌ以上となるように前記ミスト噴霧手段からミストを噴霧し、その後、前記送風手段で送風を行う構成としたものである。
【００１１】
これにより、水滴の液量推定手段が浴室壁面に付着した水滴のサイズを推定し、制御手段は、水滴の液量推定手段の推定に基づき水滴の液量をミスト噴霧により増やし、水滴が自重で滑落しやすい状態にすることで少ない風量でも浴室全域の水滴に作用して効率的に水垢付着を抑制することができる浴室洗浄装置を提供することができる。
【００１２】
本発明の請求項２に係る浴室洗浄装置は、前記ミスト噴霧手段から噴霧されるミストは粒径０．１μｍであることを特徴とするものである。
【００１３】
これにより、ミストが飛散しやすく、壁に到達するスピードが速いので、壁面に付着した水滴の液量をすばやく増やすることができる。
【００１４】
本発明の請求項３に係る浴室洗浄装置は、前記ミスト噴霧手段から粒径０．１μｍのミストを１０分間噴霧することを特徴とする。
【００１５】
これにより、水滴の液量推定手段が浴室壁面に付着した水滴の液量を推定し、制御手段は、水滴の液量推定手段の推定に基づき水滴の液量をミスト噴霧により増やし、水滴が自重で滑落しやすい状態にすることで少ない風量でも効率的に水垢付着を抑制することができる浴室洗浄装置を提供することができる。
【００１６】
また、壁面を水滴が滑り落ちるためには、壁面との角度、付着エネルギー、接触半径、水滴質量が関係しており、水滴の液量が大きいほど滑落しやすい。すなわち、壁面と水との付着エネルギーが少ないものの方が滑落しやすく、浴室壁面の素材が撥水性素材であればより効果が高くなる。
【００１７】
以下、本実施の形態について図面を用いて説明する。
【００１８】
（実施の形態１）
図１、２に示すように、本実施の形態の浴室洗浄装置１は、浴室２内に下面を開口して設置する本体ケース３を備えている。本体ケース３は、下面に吸気口４と排気口５を有している。
【００１９】
本体ケース３内には、加熱手段６と、送風手段７と、液体微細化手段８と、ミスト噴霧手段９と、液体微細化手段８と加熱手段６および送風手段７を制御する制御手段１０とを備えている。
【００２０】
加熱手段６と送風手段７とは、吸気口４と排気口５を結ぶ風路１１に設けている。
【００２１】
液体微細化手段８は、回転することにより給水された水を遠心力で飛散し、飛散した水滴は、液体微細化手段８ケースの内壁に衝突して破砕され、水の微細化が促進される。
【００２２】
ミスト噴霧手段９は、供給された液体を微細化するものであり、排気口５に設けている。
【００２３】
ミスト噴霧手段９には、ノズルが設けており、０．１μｍのミストを噴霧することができる。これにより、ミストが飛散しやすく、壁に到達するスピードが速いので、壁面に付着した水滴の液量をすばやく増やすることができる。
【００２４】
なお、粒径は、例えば、レーザー光散乱法を用いた装置での測定を行うことで確認ができる。例えば、粒径が０．１μｍとは、ザウター平均粒径を示すものである。
【００２５】
粒径１０μｍ以下のミストは、重力沈降の影響を受けずに、大気中に滞留し、拡散しやすい。特に０．１μｍ以下の粒子は超微小粒子と呼ばれ、ブラウン拡散運動が支配的な領域になる。そのブラウン拡散係数は粒子径に反比例するため、粒子は小さいほど拡散係数は大きくなり、拡散しやすい。
【００２６】
図３に示すように、制御手段１０は、水滴の液量推定手段１２と液量判定手段１３と乾燥運転モード１４を備えている。
【００２７】
水滴の液量推定手段１２は浴室２に付着している水滴の一個あたりの液量を推定するものである。水滴の液量推定手段１２は、温湿度センサー１５と水滴液量算出データ１６とを備えている。
【００２８】
水滴液量算出データ１６は、温湿度センサー１５で浴室２内をモニタリングして、水滴液量算出データ１６は、湿度が急激に上昇したタイミングを入浴開始と判断し、入浴開始前の温湿度と入浴中の高湿度状態が継続している時間を測定し、その値から壁面に付着している水滴の液量を推定するものである。
【００２９】
水滴液量算出データ１６は、あらかじめ入浴開始前の温湿度と入浴中の高湿度状態がそれぞれ継続している時間を壁面に付着している水滴量に対応させてテーブルである。実際の入浴開始前の温湿度と入浴中の高湿度状態がそれぞれ継続している時間をもとに壁面に付着している水滴量を参照するものである。
【００３０】
上記のように、水滴の液量は、測定・検証により算出された推定値である。これにより、水滴の液量を検知するセンサーがなくとも、水滴の液量を把握することができる。
【００３１】
つまり、乾燥運転モード１４において、液量判定手段１３は、水滴の液量推定手段１２の推定に基づき、浴室２の壁面に付着している水滴の液量が２５μｌ以下のときは、前記水滴の液量が２５μｌ以上となるようにミスト噴霧手段９からミストを１０分間噴霧し、その後、少なくとも送風手段７で送風を行う構成としたものである。
【００３２】
上記構成により、水滴の液量推定手段１２が浴室２壁面に付着した水滴の液量を推定し、制御手段１０は、水滴の液量推定手段１２の推定に基づき水滴の液量をミスト噴霧手段９により増やし、水滴が自重で滑落しやすい状態にすることで少ない風量でも浴室全域の水滴に作用しやすくして効率的に水垢付着を抑制することができる浴室洗浄装置を提供することができる。
【００３３】
例えば、入浴開始前の温度が低い冬場などは、急激に湿度と温度が上昇し、その高湿度状態が継続している時間が所定時間以上となると水滴の液量は２５μｌ以上のようになる。この場合、ミスト噴霧がなくとも、少ない風量で水垢が残りにくい乾燥が可能となる。また、入浴開始前の温度が２０℃程度の春から秋にかけては、壁面の結露が少ないため、高湿度状態が継続している時間が所定時間以下となり、水滴の液量は２５μｌ以下と推定される。この場合、ミスト噴霧が必要であり、ミストを１０分程度噴霧することにより水滴の液量が２５μｌ以上になり、これにより少ない風量で水垢が残りにくい乾燥が可能となる。所定時間は、あらかじめ設定しておくものである。
【００３４】
なお、送風手段７による送風の後に、加熱手段６と送風手段７による乾燥を行っても良い。すなわち、送風手段７を駆動した送風は、二段階あっても良く、一段階目は、水滴が壁に残存しないように水滴を床方向に落とす送風を行い、二段目は、浴室床面要等に残存した水分を乾燥させる送風を行うものである。つまり、一段階目の送風では、水滴が蒸発しにくい冷風である。特に天井方向から床方向に向かって送風するものであれば、水滴が床に滑り落ちやすくなり、乾燥時に水垢が残りにくくなる。一段階目の送風のあと、二段階目の送風は床等に残った水分を送風により乾燥させるものであり、外気の状態や季節に合わせて、加熱手段６を用いて送風の温度を調節して送風量を少なくして短時間で浴室を乾燥するものである。
【００３５】
これにより、壁面に水垢が残るのを抑制することができ、また浴室にカビが生えにくい状態にすることができる。
【００３６】
また、ミストの噴霧は、ミストが壁面に届く範囲であればよく、ミスト噴霧手段９を４方向に回転させる構造、またはミスト噴霧手段９を４方向に向けて取り付けて噴霧するなどで、浴室２の壁面全体に噴霧することができれば、浴室２内壁面に付着する水滴すべてについて一個あたりの液量を増やすことが容易になる。
【産業上の利用可能性】
【００３７】
本発明に係る浴室洗浄装置は、浴室壁面に付着する水垢を残りにくくするための洗浄装置として活用が期待されるものである。
【符号の説明】
【００３８】
１    浴室洗浄装置
２    浴室
３    本体ケース
４    吸気口
５    排気口
６    加熱手段
７    送風手段
８    液体微細化手段
９    ミスト噴霧手段
１０    制御手段
１１    風路
１２    水滴の液量推定手段
１３    液量判定手段
１４    乾燥運転モード
１５    温湿度センサー
１６    水滴液量算出データ
【図１】
2019063055.tif 000003
【図２】
2019063055.tif 000004
【図３】
2019063055.tif 000005